(57)【特許請求の範囲】
【請求項１】
各々がトランジスタに接続された表示素子の行列アレイと、これらトランジスタに接続された行導体及び列導体の組とを具え、各表示素子は、この表示素子に接続された行導体に隣接する行導体と表示素子との間に接続された蓄積コンデンサを有し、他に、データ信号を列導体に供給するとともに表示素子の各行に対する行アドレス周期中、選択パルス信号を表示素子の駆動シーケンスで各行導体に供給する駆動回路を具え、該駆動回路は、選択パルス信号に隣接したステップレベルであって、隣接行導体の選択パルス信号の終了時に存在し、且つ前記蓄積コンデンサを経て表示素子の駆動電圧に寄与する、行駆動波形におけるステップレベルを供給するように構成され、前記選択パルス信号で各行導体を順次走査するとともに、データ信号を各行の列導体に供給し、各行のトランジスタを制御して各表示素子を駆動するように構成したアクティブマトリックス液晶表示装置において、
前記駆動回路は、各行導体に供給する行駆動波形における前記選択パルス信号の前後に、ステップレベルを供給し、
前記選択パルス信号が入力される第１の行導体における当該前後のステップレベルは、前記トランジスタのオフ状態を維持する一定のホールドレベルより大きく、且つ前記選択パルス信号より小さいレベルの電圧を有し、続いて前記選択パルス信号が入力される該第１の行導体に隣接する第２の行導体の当該前後のステップレベルは、前記ホールドレベルより小さいレベルの電圧を有し、各行導体における前後のステップレベルの各々は、同一のレベルの電圧を有し、
前記第１の行導体の選択パルス信号における前のステップレベルは、前記第２の行導体の選択パルス信号の立ち上がり及び立下りの時点で存在するようにし、前記第２の行導体の選択パルス信号の後のステップレベルは、前記第１の行導体の選択パルス信号の立ち上がり及び立下りの時点で存在するように構成したことを特徴とするアクティブマトリックス液晶表示装置。
【請求項２】
表示素子の行における前記トランジスタの各々は、列毎に表示素子の各々の極性について反転するように、前記第１の行導体および前記第２の行導体に交互に接続され、蓄積コンデンサの各々は、該トランジスタの各々に対応する交互の配列で前記第２の行導体および前記第１の行導体にそれぞれ接続されていることを特徴とする、請求項１に記載のアクティブマトリックス液晶表示装置。
【請求項３】
前記駆動回路はドット−反転駆動方式によって表示素子のアレイを駆動するようにしたことを特徴とする、請求項２に記載のアクティブマトリックス液晶表示装置。
【発明の詳細な説明】
発明の属する技術分野
本発明は各々がトランジスタに接続された表示素子の行列アレイと、これらトランジスタに接続された行列アドレス導体の組とを具え、各表示素子はこの表示素子に接続された行導体に隣接する行導体と表示素子との間に接続された関連する蓄積コンデンサを有し、他に、データ信号を列導体に供給するとともに表示素子の各行に対する行アドレス周期中選択パルス信号を表示素子駆動シーケンスで各列導体に供給する駆動回路を具え、この駆動回路は選択パルス信号に隣接し、行駆動波形に、隣接行導体の選択パルス信号の終了時に存在し、関連する蓄積コンデンサを経て表示素子に得られた駆動電圧に寄与するステップレベルを供給するように配列したアクティブマトリックス液晶表示装置に関するものである。
従来の技術
薄膜トランジスタ（ＴＦＴ）を用いるアクティブマトリックス液晶（ＬＣ）表示装置は既知である。代表的なこの種の表示装置の一般的な動作およびその構成態様は例えば、米国特許US-A-5,130,829に記載されている。表示品質および性能を改善する多数の種々のアプローチが成されている。関連する薄膜トランジスタ（以下ＴＦＴと称する）のゲート-ドレインキャパシタンスを経て表示素子に結合された直流電圧を補償することによって表示出力の品質、特に像スティッキング効果を改善するとともに低電圧列駆動回路を用い得るようにするある特定の方式は所謂容量結合駆動方式である。この方式は隣接行導体（即ち、表示素子のＴＦＴを接続する導体とは異なる導体）に接続された表示素子に関連する蓄積コンデンサを用いるとともにライン（行）またはフィールド反転モードで作動する表示装置に適用することができる。単に保持レベルと、フィールド周期毎に一回各行アドレス周期でこの導体に接続されるＴＦＴをターンオンし得る選択（ゲート）パルスレベルとを具える各行アドレス導体に供給される波形よりもむしろ、この方式に用いられる波形は中間ステップレベルをさらに含む。作動に当たり、表示素子は関連するＴＦＴを経て供給されたデータ信号の値に従ってあるレベルに荷電され、ＴＦＴが一旦選択パルス信号の終端でターンオフして表示素子を分離すると、隣接行アドレス導体に供給された波形の電圧ステップが蓄積コンデンサを経て表示素子に結合され最終表示素子電圧を所望レベルにして表示素子から所望の表示効果、即ち、傾斜レベルを発生する。このため、１の行アドレス導体に供給される波形のステップレベルがその関連する蓄積コンデンサを経て異なる隣接の行アドレス導体によって選択された行の表示素子に得られる電圧に寄与するようになる。このステップレベルを適宜調整することにより、この技術を用いてキックバック効果を補償することができる。ＴＦＴＬＣ表示装置に用いられる容量結合駆動方式の例は、Ｅ．Ｔａｋｅｄａ等によりプロシーディングオブジャパンディスプレイ８９、ページ５８０−５８３に発表された論文“ＴＦＴ−ＬＣＤの容量結合駆動の簡単化方法”およびプロシーディングオブＡＭＬＣＤ９４，東京、ページ６０−６２にＴ．Ｋａｍｉｙａ等が発表した論文“低電力消費のＴＦＴ−ＬＣＤの新規な駆動方法”に記載されている。前者の論文では、表示素子に関連する蓄積コンデンサを前方隣接行アドレス導体に接続し、ステップレベルが選択パルス信号に追従するが、後者では、蓄積コンデンサを次の隣接行アドレス導体に接続し、ステップレベルを選択パルスの前段としている。ここに云う“前段”および“後段”とは行がアドレス指定される順序を意味するものとする。
これら既知の方式には２つの問題がある。先ず第１に、走査方向即ち、表示素子の行がアドレス指定される順序は蓄積コンデンサを接続する方法によって予め決められている。これら行は例えば一度に一回頂部から底部に順次にアドレス指定され得るが、走査方向を反転させることはできず、従って、行導体の波形を変化させなければ行は底部から頂部にアドレス指定されるようになる。例えば、投射ユニットを床または天井に装着し得る投射表示装置、または、表示装置をダッシュボードの上側または下側に装着する車両用表示装置では、走査方向を反転し得るようにするのが有利である場合がある。第２に、列交互配置、即ち、列および行反転の組合せにおける順次の表示素子の極性に加えて、隣接列の表示素子の表示電圧の極性が交互となるドット反転方式を実行することはできない。かかるドット反転方式は知覚されたフリッカーの程度を減少し得るとともに一般に、水平クロストークおよび良好な均質性を損なうようになる。
発明が解決しようとする課題
本発明の目的は容量結合駆動モードで作動し得るとともに上述した欠点を改善し得るアクティブマトリックス表示装置を提供せんとするものである。
課題を解決するための手段
本発明のアクティブマトリックス液晶表示装置は、各々がトランジスタに接続された表示素子の行列アレイと、これらトランジスタに接続された行導体及び列導体の組とを具え、各表示素子は、この表示素子に接続された行導体に隣接する行導体と表示素子との間に接続された蓄積コンデンサを有し、他に、データ信号を列導体に供給するとともに表示素子の各行に対する行アドレス周期中、選択パルス信号を表示素子の駆動シーケンスで各行導体に供給する駆動回路を具え、該駆動回路は、選択パルス信号に隣接したステップレベルであって、隣接行導体の選択パルス信号の終了時に存在し、且つ前記蓄積コンデンサを経て表示素子の駆動電圧に寄与する、行駆動波形におけるステップレベルを供給するように構成され、前記選択パルス信号で各行導体を順次走査するとともに、データ信号を各行の列導体に供給し、各行のトランジスタを制御して各表示素子を駆動するように構成したアクティブマトリックス液晶表示装置において、
前記駆動回路は、各行導体に供給する行駆動波形における前記選択パルス信号の前後に、ステップレベルを供給し、
前記選択パルス信号が入力される第１の行導体の当該前後のステップレベルは、前記トランジスタのオフ状態を維持する一定のホールドレベルより大きく、且つ前記選択パルス信号より小さいレベルの電圧を有し、該第１の行導体に隣接する第２の行導体の当該前後のステップレベルは、前記ホールドレベルより小さいレベルの電圧を有し、各行導体における前後のステップレベルの各々は、同一のレベルの電圧を有し、
前記第１の行導体の選択パルス信号における前のステップレベルは、前記第２の行導体の選択パルス信号の立ち上がり及び立下りの時点で存在するようにし、前記第２の行導体の選択パルス信号の後のステップレベルは、前記第１の行導体の選択パルス信号の立ち上がり及び立下りの時点で存在するように構成したことを特徴とする。
選択パルス信号に先行または追従する現存のステップレベルに対し対称関係にある選択パルス信号に隣接する他のステップレベルを設ける比較的簡単且つ簡便なる手段によって、表示装置の走査方向を容易に反転させることができる。反転走査時にはかかる他のステップレベルは容量結合駆動の目的で、既知のステップレベルと同様に作動する。この他のステップレベルは元の走査方向に表示装置を駆動する際表示素子のアドレス指定に著しく影響しないが、逆に既知のステップレベルは走査方向の反転時に表示素子に影響をしない。
さらに、選択パルス信号の両側にステップレベルを設けることによって、所望に応じ、ドット反転駆動方式を用い得るようにするのが重要である。ドット反転駆動方式を可能にする好適な例では、表示素子の行のトランジスタを第１および第２の隣接行導体に交互に接続するとともに行の表示素子の蓄積コンデンサを第１および第２の行導体の他方にそれぞれ接続する。
発明の実施の形態
図面はほぼ概略図であり、寸法通りではない。また、全図を通じて同一部分には同一符号を付して示す。
図１に示すように、ビデオ画像またはグラフィックスを表示するに好適な表示装置はアクティブマトリックスアドレス指定液晶表示パネル１０を具える。この表示パネルはｒ行（１−ｒ）より成り、各行にはｃ個の水平に配列された画像表示素子１２（１−ｃ）を有する。図面には簡単のために数個の表示素子のみを示す。
各表示素子１２は薄膜トランジスタＴＦＴ１１の形状の各スイッチング装置に関連する。同一行の表示素子に関連する全てのＴＦＴのゲート端子は共通行導体１４に接続し、この共通行導体には作動時に選択パルス（ゲート）信号を供給する。同様に、同一列の全ての表示素子に関連するＴＦＴのソース端子は共通列導体１６に接続し、この導体にはデータ（ビデオ）信号を供給する。ＴＦＴのドレイン端子は、その各々が表示素子の一部を形成するとともに表示素子を規定する各透明表示素子の電極に接続する。導体１４および１６、ＴＦＴ１１および電極１７の組は１の透明プレート上に支持するが、第２の離間された透明プレートは全ての表示素子に共通の電極２１を支持する。液晶はこれらプレート間に配置するとともに各表示素子は電極１７と、液晶層および共通電極２１の上側部分と具える。さらに各表示素子は蓄積コンデンサ１８を具え、このコンデンサを表示素子の電極１７と表示素子に関連するＴＦＴ１１が接続される導体に隣接する行導体１４との間に接続する。
作動に当たり、片側に配置された光源からの光は表示パネル１０に入射し、表示素子１２の伝送特性に従って変調される。表示装置は、各行アドレス周期にＴＦＴの各行を順次にターンオンするように選択パルス信号で行導体１４を順次走査するとともに完全な表示画像を１フィールドに亘って構成するようにゲート信号に同期して表示素子の各行の列導体にデータ（ビデオ）信号を供給することによって各時間軸にてある行を駆動する。アドレス指定時に１つの行を用いてアドレス指定された行の全てのＴＦＴ１１を選択パルス信号の持続幅によって決まり、供給されたビデオ信号のライン周期よりも短い期間に亘りスイッチオンし、このライン周期中にデータ情報信号を列導体１６から表示素子１２に転送する。選択パルス信号が終了すると、行のＴＦＴ１１は前記フィールド時間の残部でターンオフし、これにより表示素子を列導体１６から分離し、且つ供給された電荷を、次の時間これらがアドレス指定されるまで、通常次のフィールド周期に表示素子に蓄積する。
行導体１４には、タイミング兼行導体回路１９からの調整タイミングパルスにより制御されるディジタルシフトレジスタを具える行駆動回路２０によって選択パルス信号を順次に供給する。
選択パルス信号間の時間間隔の大部分に対し、行導体１４には、ＴＦＴをそのオフ状態に保持する行駆動回路２０によってほぼ一定の基準電位、例えば、零ボルトを供給する。ビデオ情報信号は、１つ以上のシフトレジスタ／サンプルホールド回路を具える慣例の形状の列駆動回路２２から列導体に供給する。この列駆動回路２２には行走査に同期してタイミング兼行導体回路１９からビデオ信号およびタイミングパルスを供給して表示パネル１０のアドレス指定時に行に好適なシリース−パラレル変換を行う。
図２Ａおよび２Ｂは２つの好適配列における代表的な表示素子の等価回路を線図的に示す。図２Ａにおいて、ＴＦＴ１１のゲートを行導体１４、本例ではＮ番目の行導体に接続し、蓄積コンデンサ１８は、その片側をＴＦＴ１１のドレインおよび表示素子の電極１７間のノードに接続示し、その他側を次の隣接行導体、即ち、（Ｎ＋１）番目の行導体１４に接続する。図２ＢではＴＦＴのゲートを（Ｎ＋１）番目の行導体に接続するが、蓄積コンデンサ１８は表示素子の電極１７および前のＮ番目の行導体１４に接続する。ここに云う“前の”および“次の”は通常垂直走査時に行をアドレス指定する、即ち、行１から行ｒに順次アドレス指定する順序を意味し、従って現在の行の前に前の行をアドレス指定し、次の行を現在の行の後にアドレス指定する。
図２Ａおよび２Ｂの表示素子の回路構成はそれぞれ前述したＫａｍｉｙａ等およびＴａｋｅｄａ等の論文に記載されて回路構成と同様である。表示装置は前述した論文に記載された駆動モードと同様の容量結合駆動モードで作動する。通常は、ＴＦＴ型の表示装置の各行導体に行駆動回路により供給された行駆動波形は、当該行導体に関連する表示素子のＴＦＴをフィールド周期の大部分に亘りオフ状態に保持する一定の保持レベル（Ｖｈ）と，供給されたビデオ信号のライン周期（例えば、２０ｍｓのフィールド周期のＰＡＬ標準規格ビデオ周期に対しては６４μｓ）よりも少ない持続幅のＴＦＴをターンオンするに充分な大きさまたはそれ以下の大きさのフィールド周期当たりの選択パルス信号（Ｖｓ）とを具える。容量結合駆動方式では、行波形は、これを修正して、図２Ａの構成の場合には選択パルス信号の直前に先行し、図２Ｂの構成の場合には選択パルス信号の直後に後続するステップレベルが含まれるようにする。双方の場合に、ステップレベルの持続幅は１ライン周期にほぼ等しいかこれよりも僅かに大きくする。表示装置がフィールド反転で作動するため、１フィールドのステップレベルは、保持レベルよりも大きいが選択パルス信号のレベルよりも小さく次のフィールドでは保持レベルよりも低い電圧を有する。この方式の基本は、１つの表示素子および同一行の全ての表示素子が選択パルス信号の供給時に関連するＴＦＴを経て関連する列導体の上記供給時のデータ信号のレベルによって決まる電圧に荷電し、この電圧は（Ｖｓａｔ−Ｖｔｈ）／２と−（Ｖｓａｔ−Ｖｔｈ）／２との間にあり、ここにＶｓａｔおよびＶｔｈはＬＣ表示素子の飽和電圧レベルおよびスレシホルド電圧レベルをそれぞれ示す。ＴＦＴが選択パルス信号の終了時にターンオフして画素を分離すると、隣接行導体の一つに存在する電圧ステップレベルは電圧を蓄積コンデンサを経て表示素子のキャパシタンスに結合する効果を有し、従って表示素子の電圧は最終的に範囲Ｖｔｈ−Ｖｓａｔの所望値をとり所望の段階的変化を得る。従って最終的にはこの電圧の表示素子への結合は、図２Ｂの構成では前の行導体のステップレベルの終端または図２Ａの構成では次の行導体の選択パルスの始端の何れにも発生する。正のフィールドおよび負のフィールドの双方のステップレベルの電圧を適当に調整することにより、この方式を用いてキックバック効果を補償することができる。
本発明によれば、行駆動回路２０によって供給される行駆動波形の通常の形状を修正して、選択パルス信号に隣接するとともに適時に配列された他のステップレベルを含み選択パルスの前後にステップレベルが存在するようにする。このため、それぞれ選択パルスの直前および直後にステップレベルを設ける図２Ａおよび２Ｂの構成とともに用いる波形に関して、他のステップレベルを選択パルスの直後または直前にそれぞれ設けることができる。好適には１フィールドの両ステップレベルは１ライン周期にほぼ相当するかまたはこれよりも僅かに長い持続幅を有するとともに同一の振幅を有する。原理的には、２つのステップレベルの持続幅は相違させることができ、１ビデオライン周期、可能には、２または３ビデオライン周期よりも長くすることができ、あるいは、隣接行導体の選択パルス信号後に終了するものとし、１ライン周期よりも短くすることができる。好適には、ステップレベルは選択パルス信号に直に隣接させるが、これらステップレベルおよび選択パルス信号は行波形電圧が保持レベルに復帰するか、または他の基準レベルに復帰する比較的短い間隔だけ分離させることができる。しかし、関連する行導体のステップレベルは、関連する表示素子のＴＦＴを制御する隣接行導体の選択パルス信号が終了する際に存在するようにする必要がある。便宜上、行波形の持続幅選択パルスはビデオライン周期よりも僅かに短くするのが好適である。
実際上、２ステップレベルを選択パルスに対して対称的に適時に配列するため、同一の修正行波形を図２Ａおよび２Ｂの構成の双方に用いることができる。２の順次の行導体１４、ＮおよびＮ＋１の行波形およびそのタイミング関係の例を、データ信号を含む列導体波形Ｖｃの例とともに図３に示す。ＴｌおよびＴｓは夫々ビデオライン周期および選択パルス信号周期を示す。１つの行、即ち、行Ｎ＋１の行波形は、零Ｖとし得る保持レベルＶｈと，１ビデオライン時間持続幅よりも短い選択パルスのレベルＶｓと各々が同様に１ライン時間持続幅で保持レベルＶｈよりも大きいレベルでしかも選択パルスのレベルＶｓよりも低い、即ち、ゲート電圧レベル以下の２つのステップレベルＶｌとを含む。表示素子アレイはライン反転モードで駆動されて、所定のフィールドで、２つの隣接行における表示素子の電圧の極性が反転するとともにフィールド反転モードで、１フィールドにおける所定行の表示素子の電圧の極性が次のフィールドで反転するようにする。このため、Ｎ＋１導体に隣接する行導体１４、例えばＮ導体に供給される行波形では、２つのステップレベル行Ｎ＋１でレベル−Ｖ2の極性とは逆の極性となる。図３から明らかなように、行Ｎ＋１の選択パルスＶｓの前のステップレベルは、行Ｎの選択パルスと一致するとともに行Ｎの選択パルス後に発生するステップレベルは行Ｎ＋１の選択パルスと一致する。次のフィールドでは、これら行導体に供給される波形を反転する。
通常の垂直走査方向を有する、即ち、行１から行ｒに向かって走査される図２Ａの構成に対する作動の原理は次の通りである。１つの行に対する選択パルスＶｓの後縁直前では、表示素子の電圧はその個別のデータ信号の電圧にほぼ等しい、あるレベルに到達する。この後縁の後、これら表示素子の電圧は、ＴＦＴのゲート−ドレイン容量を経る選択パルスの後縁の結合のため、オフセットされる。表示素子のキャパシタンスの値、従って、表示素子のキャパシタンス、蓄積コンデンサおよびゲート−ドレインキャパシタンスの組合せは表示素子の駆動レベルに依存し、このオフセットは素子から素子に変化する。フィールドのこの点において、従って行Ｎの表示素子に対して蓄積コンデンサを接続する行導体Ｎ＋１の電圧はＶ1となる。これら双方の後、行Ｎ＋１の選択パルスおよび次の電圧ステップＶ1が終了すると、この行導体の電圧はＶｈに復帰する。これによって、蓄積コンデンサの行導体の端部において、振幅（Ｖ１−Ｖｈ）の総合電圧ステップを発生し、順次この蓄積コンデンサは蓄積コンデンサを経て表示素子に結合され、このフィールドの最終表示素子の電圧を発生する。従って、この最終電圧は、一部分がデータ信号レベルによって決まり、一部分が選択パルスレベルおよびこのキャパシタンスに依存するＴＦＴのゲート−ドレインキャパシタンスによって生ずるオフセットによって決まり、且つ一部分がそれ自体ステップレベルの電圧および蓄積コンデンサのキャパシタンスに部分的に依存する結合電圧によって決まる。
次のフィールドでは、関連するステップレベル電圧は相違する。このため、図３に示すように、次のフィールドでは、行Ｎは行Ｎ＋１に対して示される波形で駆動され、且つその逆となる。最終の表示素子の電圧はこの異なるステップレベルの電圧に部分的に依存する。ステップレベル電圧の２つの異なる値によって平均表示素子電圧およびピーク−ピーク表示素子電圧の双方を決め、且つこれら表示素子電圧は所定組の規準を満足するように選択することができる。平均表示素子電圧は表示素子の駆動レベルとは無関係に一定の値（この場合平均列電圧に等しい）で固定することができる。換言すれば、駆動方式によって列に依存するキックバック効果を自動的に補償する。
第２規準はピーク−ピーク表示素子電圧に基づくものである。ＬＣ伝送を決めるこの電圧は蓄積コンデンサのキャパシタンスと、表示素子、蓄積コンデンサおよびＴＦＴのゲート−ドレインキャパシタンスの組合せキャパシタンスとの比に依存する。ピーク−ピーク列電圧が零になると、ｒｍｓ表示素子電圧を（Ｖsat＋Ｖth）／２に等しくする必要があり、２つの連続するフィールドの表示素子電圧間の差はＶsat＋Ｖthに等しくなる。これから、交互のフィールドおよび交互の行波形に用いられるステップレベルの電圧の好適な値は減少することができる。
容量結合駆動方式の作動を示すことによって、図４および５は、行導体電圧波形および表示素子電圧の例、特に表示装置が上述したように１つの垂直素子方向および逆の垂直素子方向の双方で駆動される場合の表示素子電圧波形の例を示す。これら２つの走査方向は、画素の蓄積コンデンサが前の行導体および次の行導体にそれぞれ有効に接続される場合に相当する。再び、ここに、“前の”および“後の”とは行がアドレス指定される順序を意味するものとする。図４は表示素子に関連する蓄積コンデンサを前の行導体に接続する場合の、即ち、図２Ｂの構成においてアレイが通常のように垂直方向に、行１から行ｒに走査される際の、および図２Ａの構成においてアレイが逆方向に行ｒから行１に走査される際の、行導体Ｎ−１の電圧ＶＲN-1および行導体Ｎの表示素子の電圧ＶＰNを示す。
図５は表示素子に関連する蓄積コンデンサを次の行導体に接続する場合の、即ち、図２Ａの構成においてアレイが通常のように垂直方向に走査される際の、および図２Ｂの構成においてアレイが逆方向に垂直に走査される際の、行導体Ｎ＋１の電圧ＶＲN+1および行導体Ｎの表示素子の電圧ＶＰNを示す。
図４および図５の場合の各々において、同一のデータ信号レベルを表示素子に供給するものとし、且つ表示素子電圧は垂直走査の方向とは無関係に、同一量ΔＶだけ変化すること明らかである。表示素子に関連する行導体の選択信号Ｖｓの持続幅に相当する表示素子の荷電周期をＴｓで示す。
従って、上述したように行駆動波形の他のステップレベルを導入することによって、所望に応じ、垂直走査方向を反転し、しかも容量結合駆動方式を用いる利点を保持しながら、正しい所望の表示素子電圧を容易に得ることができる。走査方向を反転することは、行駆動回路２０によって供給される行波形の選択パルスの相対的タイミングのみを含み、従って実際の波形を変化させる必要はない。
さらに、表示品質に影響を及ぼす問題をクリアするに有利なドット反転駆動方式を用いることもできる。作動の行ライン反転モードを行うと、ドット反転モードによって表示素子の極性が行から行に反転されるが、これに加えて、表示素子の極性が列から列に反転するようになる。このため、１フィールドにおいて、１つの行の数個の隣接表示素子の極性は＋，−，＋，−等となるが、隣接行の関連する表示素子は−，＋，−，＋等となる。次のフィールドでは、個別の極性が反転する。ドット反転を達成するためには、交互の列導体の駆動信号が逆極性、即ち、１つの行の奇数番目の表示素子がある奇数を有し、偶数番目の表示素子が逆奇数を有するようにする必要がある。容量結合駆動方式を用いる場合には行波形のステップから交互の列の表示素子に結合された電圧が逆極性を有するよううにする必要がある。これは交互の列の表示素子の蓄積コンデンサを次のまたは前の行導体に接続することによって容易に達成することができる。このため、奇数番目の列の表示素子がその蓄積コンデンサを、図２Ａの構成の場合のように、前の行導体に接続するが、偶数番目の列の表示素子はその蓄積コンデンサを図２Ｂの構成の場合のように次の行導体に接続し、あるいはその逆とする。かかる配列は２つの隣接行に数個の表示素子を示す図６に線図的に示す。従って、アレイの表示素子の半数を前の行導体に接続されたコンデンサで駆動し、他の半数を次の行導体に接続されたコンデンサによって駆動する。この方式では、表示素子の行を２つの行アドレス周期に亘ってアドレス指定する。その理由は関連するトランジスタが２つの隣接行導体に接続されているからである。
かかる配列によれば、行波形は双方の形式の蓄積コンデンサ構成を同時に処理することができる。行駆動波形の選択パルスの前後の電圧ステップである上述した波形によってこれを達成する。
本発明は上述した例にのみ限定されるものではなく、要旨を変更しない範囲内で種々の変形や変更が可能である。
【図面の簡単な説明】
図１は、表示装置の一例を示すブロック図である。
図２Ａは、表示装置の代表的な表示素子およびその関連するＴＦＴの２つの変更配列の等価回路を示す回路図である。
図２Ｂは、表示装置の代表的な表示素子およびその関連するＴＦＴの２つの変更配列の等価回路を示す回路図である。
図３は、表示装置の２つの順次の行アドレス導体に供給される波形の位置部分を示す特性図である。
図４は、図２Ａの配列の場合に例えば発生する表示素子の電圧波形を示す特性図である。
図５は、図２Ｂの配列の場合に例えば発生する表示素子の電圧波形を示す特性図である。
図６は、表示装置の変更例における２つの隣接行の数個の表示素子に対する等価回路図である。
【図１】
0004219991.tif 000002
【図２Ａ】
0004219991.tif 000003
【図２Ｂ】
0004219991.tif 000004
【図３】
0004219991.tif 000005
【図４】
0004219991.tif 000006
【図５】
0004219991.tif 000007
【図６】
0004219991.tif 000008